(57)【要約】【課題】液体の流動ルートを確実に遮断することができる上、液体の流動を一方向へ制御することができる逆止部品及び逆止部品を備える流体一方向流動制御弁を提供する。【解決手段】逆止部品１０は、液体の流動ルート上に位置し、分流リブ１２、内リング１４及び外リング１８を備える。分流リブ１２は、互いに対応した両側部を有し、ベース２０の開口部２４に対応した箇所に位置する。内リング１４は、分流リブ１２の側部に設けられ、表面と、表面と表裏の関係にある第１の接触面１４ｂとを有し、第１の接触面１４ｂは、フランジ２２の第１の押当面２２ａに対向する。外リング１８は、分流リブ１２の他方の側部に配置され、表面と、表面と表裏の関係にある第２の接触面とを有し、第２の接触面は、フランジ２２の第２の押当面に対向し、表面から第２の接触面にかけて穿設された複数の進水孔１８ｃを有する。【選択図】図８
0003163455.tif 000002
【実用新案登録請求の範囲】
【請求項１】
内部に開口部及びリング状のフランジが設けられたベース中に配置され、前記フランジは、第１の押当面と、前記第１の押当面と表裏の関係に設けられた第２の押当面とを有し、分流リブ、内リング及び外リングを備えて液体の流動ルート上に位置する逆止部品であって、
前記分流リブは、互いに対応した両側部を有し、ベースの開口部に対応した箇所に位置し、
前記内リングは、前記分流リブの側部に設けられ、表面と、前記表面と表裏の関係にある第１の接触面と、を有し、前記第１の接触面は、前記フランジの前記第１の押当面に対向し、
前記外リングは、前記分流リブの他方の側部に配置され、表面と、前記表面と表裏の関係にある第２の接触面とを有し、前記第２の接触面は、前記フランジの前記第２の押当面に対向し、前記表面から前記第２の接触面にかけて穿設された複数の進水孔を有し、
前記フランジの前記第１の押当面に前記内リングの前記第１の接触面が当接されると、前記液体の流動ルートが前記逆止部品により遮断され、前記フランジの前記第２の押当面に前記外リングの前記第２の接触面が当接されると、前記逆止部品の前記進水孔を液体が通過し、流動ルートを介して流動することを特徴とする逆止部品。
【請求項２】
前記内リングの前記表面に接続された補強リングをさらに備えることを特徴とする請求項１に記載の逆止部品。
【請求項３】
前記補強リングの外径は、前記ベースの前記開口部の直径に等しいことを特徴とする請求項２に記載の逆止部品。
【請求項４】
前記補強リングと前記内リングとは一体成形されていることを特徴とする請求項２に記載の逆止部品。
【請求項５】
前記分流リブは、互いに交差した２つの支持リブを有し、互いに隣接した前記支持リブ間に開放溝が設けられ、
前記外リングの前記進水孔のそれぞれは、前記開放溝に連通していることを特徴とする請求項１に記載の逆止部品。
【請求項６】
前記分流リブの前記２つの支持リブは、互いに垂直に交差するように配置されていることを特徴とする請求項５に記載の逆止部品。
【請求項７】
前記分流リブは、中心点及び３つの支持リブを有し、
前記３つの支持リブは、それぞれの一端が前記中心点に接続され、等間隔でそれぞれ配置され、互いに隣接した前記支持リブ間に開放溝が設けられ、前記外リングの前記進水孔のそれぞれは前記開放溝に連通していることを特徴とする請求項１に記載の逆止部品。
【請求項８】
前記分流リブ、前記内リング及び前記外リングは、一体成形されていることを特徴とする請求項１に記載の逆止部品。
【請求項９】
前記分流リブ、前記内リング及び前記外リングは、硬くて弾性を備えるプラスチックからなることを特徴とする請求項８に記載の逆止部品。
【請求項１０】
管路中に取り付けて出水側及び進水側に区分けし、液体を制御して一方向へ流動させ、中空ベース及び逆止部品を備える流体一方向流動制御弁であって、
前記中空ベースは、ベースの内壁に設けられたフランジと、前記液体の流動ルート上に設けられた開口部と、を有し、前記フランジは、第１の押当面と、前記第１の押当面と表裏の関係で設けられた第２の押当面と、を有し、
前記逆止部品は、前記ベースと移動可能に接続され、前記フランジの厚さより大きな所定距離により離間された内リング及び外リングを有し、前記内リングは、前記フランジの前記第１の押当面に対向する第１の接触面を有し、前記外リングは、前記フランジの前記第２の押当面に対向した第２の接触面を有し、前記外リングは、穿設された複数の進水孔を有し、
前記出水側の水圧が前記進水側の水圧より大きい場合、前記内リングの前記第１の接触面が前記フランジの前記第１の押当面に当接され、液体の流動ルートを遮断し、
前記出水側の水圧が前記進水側の水圧より小さい場合、前記外リングの前記第２の接触面が前記フランジの前記第２の押当面に当接され、前記進水側の液体が前記進水孔を通り、前記流動ルートを介して前記出水側へ流入することを特徴とする流体一方向流動制御弁。
【請求項１１】
前記逆止部品は、前記内リング及び前記外リングに両側部がそれぞれ接続された分流リブを有することを特徴とする請求項１０に記載の流体一方向流動制御弁。
【請求項１２】
前記外リングは、前記第２の接触面と表裏の関係で設けられた表面を有し、
前記進水孔は、前記表面から前記第２の接触面にかけて穿設され、
前記分流リブは、互いに交差された２つの支持リブを有し、互いに隣接した前記支持リブ間には、前記進水孔と連通した開放溝が設けられていることを特徴とする請求項１１に記載の流体一方向流動制御弁。
【請求項１３】
前記内リングは、前記第１の接触面と表裏の関係で設けられた表面に接続された補強リングを有することを特徴とする請求項１０に記載の流体一方向流動制御弁。
【請求項１４】
前記補強リングの外径は、前記ベースの開口部の直径と等しいことを特徴とする請求項１３に記載の流体一方向流動制御弁。
【請求項１５】
前記補強リングと前記内リングとは一体成形されていることを特徴とする請求項１４に記載の流体一方向流動制御弁。
【考案の詳細な説明】
【技術分野】
【０００１】
本考案は、液体の流れを制御する構造に関し、特に、逆止部品及び逆止部品を備える流体一方向流動制御弁に関する。
【背景技術】
【０００２】
管路中の液体の流れを制御する従来の構造は、制御弁の中に取り付けた逆止部品の位置を変化させることにより、液体を一方向へ流動させていた。この制御弁構造を湯水混合装置に使用した場合、冷水又は湯を単独で使用する際に互いに混合することを防ぐことができる。
【０００３】
図１に示すように、従来の逆止部品１は、制御弁のネジ２の中に配置され、ネジ２の内壁との間に隙間が設けられている。逆止部品１は、バネ３の弾力によりネジ２の肩部２ａに当接され続ける。出水側Ｓ１の水圧が進水側Ｓ２の水圧より大きい場合、進水口２ｂが逆止部品１により封止され、液体の流動ルートを遮断する。出水側Ｓ１の水圧が進水側Ｓ２の水圧より小さい場合、水圧により逆止部品１が押上されてバネ３が圧縮し、液体が進水側Ｓ２から進水口２ｂを通り、出水側Ｓ１へ漏れ続けることがある。
【０００４】
上述の逆止部品１は、水を一方向で流動させることができるが、逆止部品１を安定的に移動させるには、バネ３の作用力が必要であり、バネ３の弾力によりネジ２の肩部２ａへ圧着させるためには、出水側Ｓ１の水圧を進水側Ｓ２の水圧より大きくしなければならなかった。しかし、バネ３が長期間使用され、弾性が低下して構造が老化した場合、逆止部品１が安定的に移動しなくなり、ネジ２の肩部２ａに密着して進水口２ｂを封止させることができなくなるため、異なる管路を通る冷水又は熱水が漏れてしまう虞がある。
【０００５】
図２に示すように、逆止部品４は、カバー面４ａ及び延伸部４ｂを有し、断面がＴ字状のプラスチック材料からなる。逆止部品４の延伸部４ｂは、制御弁の進水ベース５の貫通孔５ａに貫設され、貫通孔５ａの面積より大きな断面積を有する盛り上がり部４ｃがその上に形成されている。盛り上がり部４ｃは、進水ベース５へ逆止部品４を固着させるために、進水ベース５の底面に当接させる。逆止部品４のカバー面４ａは、可撓性を備え、進水ベース５の内面５ｂに当接される。出水側Ｓ１の水圧が進水側Ｓ２の水圧より大きい場合、カバー面４ａにより進水ベース５の数個の進水孔５ｃを覆い、液体の流動ルートを遮断する。出水側Ｓ１の水圧が進水側Ｓ２の水圧より小さい場合、進水側Ｓ２の水が各進水孔５ｃから流入してカバー面４ａに衝突し、カバー面４ａが変形して出水側Ｓ１の方向へ漏れてしまうことがある。
【０００６】
上述の逆止部品４は、水を一方向へ流動させることができるが、逆止部品４が動かないように固定されているため、進水側Ｓ２からの勢いが大きな水流により発生する衝撃力によりカバー面４ａが変形し、水の衝撃力を長時間受け、カバー面４ａと延伸部４ｂとの接続箇所に亀裂が発生したり折れたりすることにより、水の流路ルートが遮断される虞がある。
【考案の概要】
【考案が解決しようとする課題】
【０００７】
本考案の主な目的は、安定的に移動し、液体の流動ルートを確実に遮断する逆止部品を提供することにある。
本考案のもう一つの目的は、液体の流動を一方向へ制御する逆止部品を備える流体一方向流動制御弁を提供することにある。
【課題を解決するための手段】
【０００８】
上記目的を達成するためになされた請求項１に記載の逆止部品は、内部に開口部及びリング状のフランジが設けられたベース中に配置され、フランジは、第１の押当面と、第１の押当面と表裏に関係に設けられた第２の押当面とを有し、分流リブ、内リング及び外リングを備えて液体の流動ルート上に位置する逆止部品であって、分流リブは、互いに対応した両側部を有し、ベースの開口部に対応した箇所に位置し、内リングは、分流リブの側部に設けられ、表面と、表面と表裏の関係にある第１の接触面と、を有し、第１の接触面は、フランジの第１の押当面に対向し、外リングは、分流リブの他方の側部に配置され、表面と、表面と表裏の関係にある第２の接触面とを有し、第２の接触面は、フランジの第２の押当面に対向し、表面から第２の接触面にかけて穿設された複数の進水孔を有し、フランジの第１の押当面に内リングの第１の接触面が当接されると、液体の流動ルートが逆止部品により遮断され、フランジの第２の押当面に外リングの第２の接触面が当接されると、逆止部品の進水孔を液体が通過し、流動ルートを介して流動することを特徴とする。
【０００９】
内リングの表面に接続された補強リングをさらに備えることが好ましい。
【００１０】
補強リングの外径は、ベースの開口部の直径に等しいことが好ましい。
【００１１】
補強リングと内リングとは一体成形されていることが好ましい。
【００１２】
分流リブは、互いに交差した２つの支持リブを有し、互いに隣接した支持リブ間に開放溝が設けられ、外リングの進水孔のそれぞれは、開放溝に連通していることが好ましい。
【００１３】
分流リブの２つの支持リブは、互いに垂直に交差するように配置されていることが好ましい。
【００１４】
分流リブは、中心点及び３つの支持リブを有し、３つの支持リブは、それぞれの一端が中心点に接続され、等間隔でそれぞれ配置され、互いに隣接した支持リブ間に開放溝が設けられ、外リングの進水孔のそれぞれは開放溝に連通していることが好ましい。
【００１５】
分流リブ、内リング及び外リングは、一体成形されていることが好ましい。
【００１６】
分流リブ、内リング及び外リングは、硬くて弾性を備えるプラスチックからなることが好ましい。
【００１７】
上記目的を達成するためになされた請求項１０に記載の流体一方向流動制御弁は、管路中に取り付けて出水側及び進水側に区分けし、液体を制御して一方向へ流動させ、中空ベース及び逆止部品を備える流体一方向流動制御弁であって、中空ベースは、ベースの内壁に設けられたフランジと、液体の流動ルート上に設けられた開口部と、を有し、フランジは、第１の押当面と、第１の押当面と表裏の関係で設けられた第２の押当面と、を有し、  逆止部品は、ベースと移動可能に接続され、フランジの厚さより大きな所定距離により離間された内リング及び外リングを有し、内リングは、フランジの第１の押当面に対向する第１の接触面を有し、外リングは、フランジの第２の押当面に対向した第２の接触面を有し、外リングは、穿設された複数の進水孔を有し、出水側の水圧が進水側の水圧より大きい場合、内リングの第１の接触面がフランジの第１の押当面に当接され、液体の流動ルートを遮断し、出水側の水圧が進水側の水圧より小さい場合、外リングの第２の接触面がフランジの第２の押当面に当接され、進水側の液体が進水孔を通り、流動ルートを介して出水側へ流入することを特徴とする。
【００１８】
逆止部品は、内リング及び外リングに両側部がそれぞれ接続された分流リブを有することが好ましい。
【００１９】
外リングは、第２の接触面と表裏の関係で設けられた表面を有し、進水孔は、表面から第２の接触面にかけて穿設され、分流リブは、互いに交差された２つの支持リブを有し、互いに隣接した支持リブ間には、進水孔と連通した開放溝が設けられていることが好ましい。
【００２０】
内リングは、第１の接触面と表裏の関係で設けられた表面に接続された補強リングを有することが好ましい。
【００２１】
補強リングの外径は、ベースの開口部の直径と等しいことが好ましい。
【００２２】
補強リングと内リングとは一体成形されていることが好ましい。
【考案の効果】
【００２３】
本考案の逆止部品及び逆止部品を備える流体一方向流動制御弁は、安定的に移動し、液体の流動ルートを確実に遮断することができる上、液体の流動を一方向へ制御することができる。
【図面の簡単な説明】
【００２４】
【図１】従来の逆止部品を示す断面図である。
【図２】従来の逆止部品を示す断面図である。
【図３】本考案の一実施形態による逆止部品を備える流体一方向流動制御弁を示す斜視図である。
【図４】図３の半断面斜視図である。
【図５】図３の流体一方向流動制御弁を示す分解斜視図である。
【図６】本考案の一実施形態による逆止部品を示す斜視図である。
【図７】本考案の一実施形態による逆止部品を示す斜視図である。
【図８】逆止部品により出水側と進水側とが連通するルートが遮断されているときの状態を示す断面図である。
【図９】逆止部品により出水側と進水側とが連通するルートが遮断されていないときの状態を示す断面図である。
【図１０】本考案の他の実施形態による逆止部品を示す斜視図である。
【考案を実施するための形態】
【００２５】
以下、本考案の実施形態について図に基づいて説明する。なお、これによって本考案が限定されるものではない。
【００２６】
図３〜図５を参照する。図３〜図５に示すように、本考案の一実施形態による流体一方向流動制御弁１００は、逆止部品１０を含み、液体が流動する管路（図示せず）中へ取り付ける。本実施形態の逆止部品１０は、中空のベース２０中で、液体の流動ルート上に配置されている。図８に示すように、流動ルートは、逆止部品１０により、出水側Ｓ１及び進水側Ｓ２に分けることができる。
【００２７】
図５及び図８を参照する。図５及び図８に示すように、前述のベース２０は、内壁部から中心部に向かって延伸するようにリング状に設けられたフランジ２２と、フランジ２２により囲むように形成した開口部２４と、を有する。出水側Ｓ１と進水側Ｓ２とは、開口部２４により連通されている。フランジ２２は、第１の押当面２２ａと、第１の押当面２２ａと表裏の関係で設けられた第２の押当面２２ｂと、を有する。
【００２８】
本実施形態の逆止部品１０は、硬くて弾性を備えるプラスチックにより一体成形され、分流リブ１２、内リング１４、補強リング１６及び外リング１８を含む。
【００２９】
図６及び図７を参照する。図６及び図７に示すように、分流リブ１２は、互いに垂直に交差された（即ち、十字状に交差された）支持リブ１２ａ及び支持リブ１２ｂを含む。互いに隣接した支持リブ間には、開放溝１２ｃが設けられている。逆止部品１０の組み立てが完成した後、分流リブ１２がベース２０の開口部２４に対応するように配置され、分流リブ１２の両側の距離は、フランジ２２の厚さより大きい。
【００３０】
内リング１４は、ベース２０の開口部２４の直径より大きな外径を有する円盤体であり、分流リブ１２の側部に接続されている。内リング１４は、表面１４ａと、表面１４ａと表裏の関係で設けられた第１の接触面１４ｂと、を有し、逆止部品１０を組み立てた後、第１の接触面１４ｂがフランジ２２の第１の押当面２２ａに対向するように配置する。
【００３１】
補強リング１６は、内リング１４と同様に円盤体であり、内リング１４の表面１４ａと一体成形されている。補強リング１６の外径は、内リング１４の外径と、ベース２０の開口部２４の直径との間であることが好ましい。補強リング１６の外径は、ベース２０の開口部２４の直径に略等しい。
【００３２】
外リング１８は、ベース２０の開口部２４の直径より大きな外径を有する円盤体であり、分流リブ１２の他方の側部に接続され、内リング１４に対して平行に配置されている。外リング１８は、表面１８ａと、表面１８ａと表裏の関係で設けられた第２の接触面１８ｂと、表面１８ａから第２の接触面１８ｂにかけて穿設された複数の進水孔１８ｃと、を含む。各進水孔１８ｃは、互いに隣接するように設けた支持リブ間の開放溝１２ｃと連通する。逆止部品１０を組み立てた後、外リング１８の第２の接触面１８ｂがフランジ２２の第２の押当面２２ｂに対向するように配置する。
【００３３】
以下、本実施形態の逆止部品１０の構造を詳細に説明する。
【００３４】
図８を参照する。図８に示すように、出水側Ｓ１の水圧が進水側Ｓ２の水圧より大きい場合、フランジ２２の第２の押当面２２ｂに内リング１４の第１の接触面１４ｂが当接され、逆止部品１０により出水側Ｓ１と進水側Ｓ２とが連通されなくなり、液体の流動ルートが遮断される。そのため、異なる管路を通る冷水又は湯が漏れて互いに混合する虞がない。
【００３５】
図９を参照する。図９に示すように、出水側Ｓ１の水圧が進水側Ｓ２より小さいとき、進水側Ｓ２の水圧により逆止部品１０が押圧されて変位し、フランジ２２の第２の押当面２２ｂに外リング１８の第２の接触面１８ｂが当接され、進水側Ｓ２の水が各進水孔１８ｃから開放溝１２ｃを通り、出水側Ｓ１に入る。
【００３６】
本実施形態の逆止部品１０は、分流リブ１２により安定的に移動するため、逆止部品の移動が不安定となり、液体の流動ルートが遮断される状況が発生することを防ぐことができる。また、逆止部品１０は、硬くて弾性を備えるプラスチックにより一体成形されているため、出水側Ｓ１又は進水側Ｓ２が高い水圧作用を受けているか否かに関わらず、フランジ２２の第１の押当面２２ａに内リング１４の第１の接触面１４ｂが当接されたり、フランジ２２の第２の押当面２２ｂに外リング１８の第２の接触面１８ｂが当接されたりするときに、好適な密着効果を得ることができる。特に、フランジ２２の第１の押当面２２ａに、内リング１４の第１の接触面１４ｂが当接されると、出水側Ｓ１の水が開口部２４を通過せず、水が一方向にしか流動しないように制御することができる。また、逆止部品１０には、補強リング１６を配置することにより厚さを増大させ、補強リング１６の外径をベース２０の開口部２４の直径に略等しくすることにより、内リング１４の出水側Ｓ１の水圧が進水側Ｓ２の水圧より大きい場合に剪断により破壊され、逆止部品１０が備える水の流動ルート遮断機能が失われることを防ぐことができる。
【００３７】
上述の実施形態では、内リング１４と外リング１８とを接続する分流リブ１２は、十字状に形成されているが、図１０に示すような形状にしてもよい。分流リブ１３は、中心点１３ａと、それぞれの端部が中心点１３ａに接続された３つの支持リブ１３ｂと、を含む。３つの支持リブ１３ｂは、それぞれ等間隔に配置され、互いに隣接した支持リブ１３ｂ間に開放溝１３ｃが設けられている。開放溝１３ｃは、外リング１９の進水孔１９ａとそれぞれ連通しているため、逆止部品は、分流リブ１３により安定的に移動することができる。
【００３８】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３９】
１０    逆止部品
１２    分流リブ
１２ａ  支持リブ
１２ｂ  支持リブ
１２ｃ  開放溝
１３    分流リブ
１３ａ  中心点
１３ｂ  支持リブ
１３ｃ  開放溝
１４    内リング
１４ａ  表面
１４ｂ  第１の接触面
１６    補強リング
１８    外リング
１８ａ  表面
１８ｂ  第２の接触面
１８ｃ  進水孔
１９    外リング
１９ａ  進水孔
２０    ベース
２２    フランジ
２２ａ  第１の押当面
２２ｂ  第２の押当面
２４    開口部
１００  流体一方向流動制御弁
Ｓ１    出水側
Ｓ２    進水側
【図１】
0003163455.tif 000003
【図２】
0003163455.tif 000004
【図３】
0003163455.tif 000005
【図４】
0003163455.tif 000006
【図５】
0003163455.tif 000007
【図６】
0003163455.tif 000008
【図７】
0003163455.tif 000009
【図８】
0003163455.tif 000010
【図９】
0003163455.tif 000011
【図１０】
0003163455.tif 000012